(57)【要約】      （修正有）【課題】防犯ベルの作動をより迅速に行うことを可能とする。【解決手段】上衣１は、袖部に設けられたポケット２を備える。このポケット２は、引き紐ｃを引くことによって警告音を発する防犯ベルｍを収納する収納部３と、引き紐挿通口４とを備える。この引き紐挿通口４は、防犯ベルｍの引き紐ｃを通すが、防犯ベルｍの本体部を通さない大きさを有するものであり、収納部に収納された防犯ベルの本体部に接続された引き紐ｃの先端部分が引き紐挿通部４から外部に引き出される。【選択図】図６
0003115063.tif 000002
【実用新案登録請求の範囲】
【請求項１】
袖部に設けられたポケットを備え、
このポケットは、引き紐を引くことによって警告音を発する防犯ベルを収納する収納部と、引き紐挿通口とを備えたものであり、
引き紐挿通口は、防犯ベルの引き紐を通すが、防犯ベルの本体部を通さない大きさを有するものであり、収納部に収納された防犯ベルの本体部に接続された引き紐の先端部分が引き紐挿通部から外部に引き出されるものであることを特徴とする上衣。
【請求項２】
上記のポケットは、有底の収納部と、この収納部の上端から延設された蓋部とを備え、この蓋部は収納部に防犯ベルを出し入れする開口部を塞ぐものであり、蓋部に着脱可能な係止具が設けられることにより開口部を塞いだ状態に固定できるものであり、蓋部を固定した状態で、係止具と開口部との間の隙間が上記の引き紐挿通口とされたものであることを特徴とする請求項１記載の上衣。
【請求項３】
上記のポケットが袖部の上腕の外側に設けられ、上記ポケットは、収納部の底が、開口部よりも後ろ下方に配位されるように、斜めに設けられたものであり、引き紐挿通口の少なくもと１つが係止具の下側に位置するものであることを特徴とする請求項２記載の上衣。
【請求項４】
収納部内に防犯ベル本体に対する滑り止め具が設けられたことを特徴とする請求項２または３記載の上衣。
【考案の詳細な説明】
【技術分野】
【０００１】
本願考案は、上衣、特に防犯ベル収納ポケットを有する上衣の改良に関するものである。
【背景技術】
【０００２】
【特許文献１】特開２００３−３３６１１６
【０００３】
近年防犯のために、緊急時に、大きな音を発生させて、周囲へ、緊急事態を報せ或いは救助を求める、携帯用の防犯ベルが普及しつつある。
例えば、このような防犯ベルとして、図７（Ａ）へ示すものが見られる。これは、衣服のポケットやハンドバッグなどに収納可能な大きさのベル本体ａと、当該本体ａに差し込まれピンｂと、ピンｂに設けられた引き紐とを備えたものである。このベル本体ａには、電気にて作動するベル装置と、当該ベル装置の作動に必要な電源となる電池と、スイッチとを内蔵したものであり、当該スイッチには、上記ピンｂが係止されており、このピンｂが外されることにより、ベル装置の回路が、電池へ電気的に接続されて作動する。
従って、緊急時、懐中やハンドバッグから、当該ベルを取り出し、図７（Ｂ）へ示す通り、引き紐ｃを引張って、ピンｂをベル本体ａより引き抜いて、ベルを鳴らすことができる。
【０００４】
このようなベルにおいては、緊急時に、いかに速く、引き紐を引けるか、即ち、いかに速く引き紐に指を掛けることができるかが、危険回避を左右するものとなる。
しかし、いちいち、ポケットや、ハンドバッグに手を入れて、ベルを取り出し、その引き紐を引張ってピンを外していたのでは、緊急時に間に合わない。
一方、常時携帯するためには、衣服のポケットに入れて持ち歩くのが最も好ましいと考えられる。
衣服のポケットを利用する場合、例えば特許文献１に示す上衣を用いることによって、ポケットから引き紐だけ外に出して、ポケットに手を入れずとも、引き紐に、指を掛けることは可能かも知れない。
【０００５】
ところが、その場合、ベルの引き紐に、指を掛ける動作は、専ら片方の手の動作によるものであり、当該片方の手の動きの俊敏さに危険回避の如何が託され、小さな子供や老人など、動作の鈍い者にとっては、極めて不利な状況である。
この点について、一般にポケットは、特許文献１に示す通り、衣服の内外を問わず（内ポケットか、衣服表面に設けられたポケットを問わず）、衣服の胴体部分に設けられており、このようなポケットにベルを収納することによって、その衣服を着用する者の、胴体にベルが固定されることなる。従って、例えば左胸ポケットに収納されたベルの引き紐を引くためには、右手を当該ポケットに伸ばして引き紐を指に掛ける動作に頼ることとなり、当該右手の動きの素早さに危険回避の全てが託されることになるのである。
【０００６】
本願考案者は、このような状況では、上述の動きの遅い者や、また、予想を越える危険の切迫には、十分対応できないものと考え、更に迅速に携帯用の防犯ベルの引き紐を引くことができる手段がないか、検討を重ねた。
その結果、本願考案者は、上衣の袖を利用することを考えた。
【考案の開示】
【考案が解決しようとする課題】
【０００７】
本願考案は、上衣の袖を利用して、防犯ベルの作動をより迅速に行うことを可能として、上記課題の解決を図る。
特に、小学生などの児童では、上衣を着たまま鉄棒をすることがあったり、走ったりすることが多々あり、そのため、通常のポケットでは、中から防犯ブザーが落ちることがある。このため、防犯対策が必要なこれらの児童に対して、より現実的な上衣の提供を図るものである。
とりわけ、ポケットを腕を組んだときにすぐ触れる位置に付けることで、いち早くブザーを動作させることを可能として上記の課題の解決を図った。
【課題を解決するための手段】
【０００８】
本願第１の考案は、次の構成を備えた上衣を提供する。
即ち、この上衣１は、袖部に設けられたポケット２を備える。このポケット２は、引き紐ｃを引くことによって警告音を発する防犯ベルｍを収納する収納部３と、引き紐挿通口４とを備える。この引き紐挿通口４は、防犯ベルｍの引き紐ｃを通すが、防犯ベルｍの本体部を通さない大きさを有するものであり、上記収納部に収納された防犯ベルの本体部に接続された引き紐ｃの先端部分が引き紐挿通部４から外部に引き出されるものである。
【０００９】
本願第２の考案では、上記本願第１の考案にあって、次の構成を上衣を提供する。
即ち、上記のポケット２は、有底の収納部３と、この収納部３の上端から延設された蓋部５とを備える。この蓋部５は収納部３に防犯ベルｍを出し入れする開口部を塞ぐものであり、蓋部に着脱可能な係止具が設けられることにより開口部を塞いだ状態に固定できるものであり、蓋部を固定した状態で、係止具と開口部との間の隙間が上記の引き紐挿通口４とされたものである。
【００１０】
本願第３の考案では、上記本願第２の考案にあって、次の構成を上衣を提供する。
即ち、上記のポケット２が袖部の上腕の外側に設けられ、上記ポケット２は、収納部３の底が、開口部よりも後ろ下方に配位されるように、斜めに設けられたものであり、引き紐挿通口の少なくもと１つが係止具の下側に位置する。
【００１１】
本願第４の考案では、上記本願第２又は第３の考案にあって、収納部内に防犯ベル本体に対する滑り止め具が設けられた上衣を提供する。
【考案の効果】
【００１２】
本願の第１〜第４の考案にあっては、上衣の袖に設けたポケットに、防犯ベルを収納して携帯することにより、緊急時、腕を、ベルの引き紐を引く反対の腕に近づけることで、当該引き紐を、引き紐を引く手に、近づけることができる。即ち、左右双方の腕を近づけ合うことにより、ベルの引き紐へ指を掛ける動作が、片腕だけを動かしてベルの引き紐を引く場合に比して、迅速に行える。また、引き紐を引く動作も、両腕を互いに遠ざけることによって、より迅速に行うことができる。
また、上記の引き紐挿通口は、防犯ベルの引き紐を通すが、防犯ベルの本体部を通さない大きさを有するものであり、上記収納部に収納された防犯ベルの本体部に接続された引き紐の先端部分が引き紐挿通口から外部に引き出されるものであるため、常時引き紐を確実にポケットの外に出しておけ、また、引き紐を引張った際、ベルの本体部（ポケット）を押さえていなくても、本体部がポケットから飛び出すといった事態を防ぐことができる。
【００１３】
本願第２の考案にあっては、ポケットの蓋部に着脱可能な係止具が設けられることにより開口部を塞いだ状態に固定できるものであり、蓋体の開閉によって、円滑にポケットへのベル出し入れができると共に、ベル収納時に、不意に蓋が開いて、ベルがポケットから飛び出したり、ベルが鳴らせなかったりするといった事態を抑制した。この場合も、係止具と開口部との間の隙間にて、引き紐を常時ポケットの外へ出しておける。
特に、上衣を着用したまま、鉄棒をしたり、走ったりするといった機会が多い小学生などの児童が着用した場合であっても、蓋部を固定することによって、ポケットから防犯ベルが脱落するのを防止することができ、その動きが妨げられるということも防げる。従って、小学生などの児童に当該上衣は特に適する。
【００１４】
本願第３の考案にあっては、上記のポケットが袖部の上腕の外側に設けられることでより迅速に、即ち、ポケットを腕を組んだときにすぐ触れる位置に付けることで、いち早くブザーを動作させることができる。また、ベルの引き紐を常時（衣服の）外部へ露出させておけると共に、上記ポケットの収納部の底を、開口部よりも後ろ下方に配位されるように斜めに設け、引き紐挿通口を係止具の下側に位置させることにより、ポケットの開口部の縁を支点として引き紐を（ポケットの）下方側へ引くことができ、ポケットの開口部より低い位置にてベルの本体部をポケット内へ押し止めた状態を維持することができ、外部からポケットを押さえたりせずとも、引き紐を引張った勢いで、ベルがポケットから飛び出すという事態を抑制した。
【００１５】
特に、本願第４の考案では、上記の滑り止め具にて、ベルがポケットから脱落する事態をより一層抑えることができる。
【考案を実施するための最良の形態】
【００１６】
以下、図面に基づき本願考案の実施の形態について説明する。
図１〜図６を用いて、本願考案の一実施の形態を説明する。図１は、本願考案に係る上衣の左右に袖を広げた状態を示す全体正面図である。図２は、上記上衣の袖を下方に垂れ下げた状態を示す上衣の要部側面図である。図３は、図２の要部（ポケット２）を切欠した状態を示す要部策面図である。図４は、図２のポケットの蓋を開いた状態を示す上衣の要部側面図である。図５は、図４のポケットへ防犯ベルを収納した状態を示す上衣の要部側面図である。図６は、図５のポケットの蓋を閉じた状態を示す上衣の要部側面図である。
各図において、説明の便宜上、上衣を着用するものの身体を基準に、Ｕは上方を、Ｓは下方を、Ｆは前方を、Ｂは後方を、夫々示している。
【００１７】
図１へ示す通り、この上衣１は、胴部１０と、袖１１，１１とを備える。そして、少なくとも片方の袖１１の上腕部（袖に通した腕の上腕部と対応する部位）表面にポケット２が設けられている。
以下、各部の構成について、更に詳しく説明する。
【００１８】
上記のポケット２は、上衣１の袖１１の表面に、生地を縫い付けることにより、形成されている。この実施の形態では、図１へ示す通り、ポケット２は、上記生地にタックを付けて、袋状に形成されている。
上記のポケット２は、この実施の形態において、右利きの着用者を想定して、左袖１１に設けられている。但し、左利きの着用者用に、右袖１１にポケット２を設けて実施することも可能である。また、両袖１１，１１の夫々に、このポケット２を形成して実施することも可能である。また、ポケット２は、袖１１の上腕部に設けられておればよく、袖１１が長袖に限らず、半袖であってもよい。
【００１９】
上記のポケット２は、図７に示す防犯ベルを収容することができる寸法、形状を備えたものである。具体的には、ポケット２は、本体部ａに設けられた引き紐ｃを引くことによって警告音を発する防犯ベルｍを収納する収納部３と、蓋部５とを備える。
図２へ示す通り、蓋部５は、収納部３（の頂部）から延設されたものであり、図５へ示す通り収納部３の開口部３０から収納部３内へ防犯ベルｍを収納した後、図６へ示す通りこの開口部３０を塞ぐものである。
【００２０】
図３〜図５へ示す通り、蓋部５は、着脱可能な係止具５０を備え、上記の開口部３０を塞いだ状態に固定できる。この実施の形態において、係止具５０は、蓋部５の裏面（内側面）と、腕章１表面とに設けられた起毛テープ５０ａ，５０ｂである。但し、この係止具５０についても、ホックなど、周知の他の手段を採用して実施することが可能である。
【００２１】
図４〜図６へ示す通り、上記のポケット２は、防犯ベルｍの引き紐ｃをポケット２外部へ出すため、引き紐挿通口４を備える。この引き紐挿通口４は、防犯ベルｍの引き紐ｃを通すが、防犯ベルｍの本体部ａを通さない大きさを有するものであり、上記収納部３に収納された防犯ベルｍの本体部ａに接続された引き紐ｃの先端部分が引き紐挿通口４から外部に引き出される。具体的には、図６へ示す通り、上記の蓋部５を閉じた状態で、係止具５０と収納部３の上記開口部３０との間の隙間が、上記の引き紐挿通口４（４ａ，４ｂ）となる。
【００２２】
上述の通り、上記のポケット２は、袖１１の上腕の外側に設けられ、また、図１へ示す通り、上記ポケット２は、収納部３の底（最深部ｐ１）が、開口部３０よりも後ろ下方に配位されるように、斜めに設けられたものであり、引き紐挿通口４の少なくとも１つ（４ａ）は、係止具５０の下側に位置する。
具体的には、当該上衣を着用した状態において（図１では、袖は左右に広げられているが、ここでは腕を体側に降ろした状態、即ち袖口を下方に向けた状態において）、袖１１の頂部ｄ（図１）から下方に降ろした仮想線（以下袖側線ｔ２と呼ぶ。）に対して、収納部３の最も深い位置ｐ１（最深部）と、最も浅い位置ｐ２とを最短で結ぶ仮想線（ポケットの中心線ｔ３）が、３０〜６０度、最も好ましくは、４５度の角度θをなすように、収納部３を袖１１に設ける。これによって、開口部３０が前方斜め上方を向くように、配置される。また、収納部３０の開口部３０の少なくとも一部は、上記袖側線ｔ２よりも前方に位置する。
尚、図１中ｔ１は、、胴部１０の前身頃と後身頃の境界線（合わせ目）を示している。また、袖１１は、一枚の布を筒状に縫い合わせて、更に胴部１０に縫い付けられるものであるが、上記袖側線ｔ２は、このように袖１１を筒状にした際の縫い合わせ目を指すものではない。
【００２３】
図３へ示す通り、ポケット２は、収納部３の内側に、滑り止め具６を設けて実施するのが好ましい。この滑り止め具３は、ゴムなどの表面の摩擦抵抗が大きな素材にて形成されものであり、袖１１の上記収納部３に覆われた部分（生地）に、縫製、接着などの周知の固定手段によって、取り付けられている。但し、滑り止め具６は、収納部３の裏面に設けて実施することも可能である。
【００２４】
図５及び図６へ示す通り、上記の引き紐挿通口４ａ，４ｂのうち、ポケット２の下部に位置する側のもの（引き紐挿通口４ａ）から、ベルの引き紐ｃをポケット２の外側に出し、引き紐ｃを下方に垂れ下げた状態とするのが好ましい。但し、ポケット２の上方に位置する引き紐挿通口４ｂから、引き紐ｃをポケット２の外部へ出すことも可能である。
【図面の簡単な説明】
【００２５】
【図１】本願考案に係る上衣の左右に袖を広げた状態を示す全体正面図である。
【図２】上記上衣の袖を下方に垂れ下げた状態を示す上衣の要部側面図である。
【図３】図２の要部（ポケット２）を切欠した状態を示す要部策面図である。
【図４】図２のポケットの蓋を開いた状態を示す上衣の要部側面図である。
【図５】図４のポケットへ防犯ベルを収納した状態を示す上衣の要部側面図である。
【図６】図５のポケットの蓋を閉じた状態を示す上衣の要部側面図である。
【図７】（Ａ）は防犯ベルの一例を示す斜視図であり、（Ｂ）は当該防犯ベルの作動状態を示す斜視図である。
【符号の説明】
【００２６】
１    上衣
２    ポケット
３    収納部
４    引き紐挿通口
【図１】
0003115063.tif 000003
【図２】
0003115063.tif 000004
【図３】
0003115063.tif 000005
【図４】
0003115063.tif 000006
【図５】
0003115063.tif 000007
【図６】
0003115063.tif 000008
【図７】
0003115063.tif 000009